(57)【要約】【課題】ベース部とコイルボビンとの位置決めにおいて形成屑が発生しない電磁リレーを提供する。【解決手段】リレー本体部２０の絶縁性部材で形成されたコイルボビン２１１に嵌合部（凸部）２１３を設け、絶縁性部材で形成されたベース部１０にコイルボビン２１１の嵌合部２１３が嵌合する被嵌合部（凹部）１０５を設けて、ベース部１０とコイルボビン２１１との位置決めを行うようにした。これにより、ベース部１０とコイルボビン２１１との位置決めにおける形成屑の発生を防止できる。【選択図】図４
2012094296.tif 000002
【特許請求の範囲】
【請求項１】
絶縁性部材で形成されたコイルボビンを有するリレー本体部と、
前記リレー本体部が取り付けられ絶縁性部材で形成されたベース部と、を備え、
前記コイルボビンは、嵌合部を有し、
前記ベース部は、前記コイルボビンの嵌合部が嵌合される被嵌合部を有する電磁リレー。
【請求項２】
前記コイルボビンの嵌合部は凸部であり、
前記ベース部の被嵌合部は、前記凸部が圧入される凹部である請求項１に記載の電磁リレー。
【請求項３】
絶縁性部材で形成されたコイルボビンを有するリレー本体部と、
前記リレー本体部が取り付けられ絶縁性部材で形成されたベース部と、を備え、
前記ベース部は、嵌合部を有し、
前記コイルボビンは、前記ベース部の嵌合部が嵌合される被嵌合部を有する電磁リレー。
【請求項４】
前記ベース部の嵌合部は凸部であり、
前記コイルボビンの被嵌合部は、前記凸部が嵌合される凹部である請求項３に記載の電磁リレー。
【発明の詳細な説明】
【技術分野】
【０００１】
本発明は、電磁石の励磁、非励磁を切り替えることで、接極子を揺動させて接点の開閉動作をさせる構造の電磁リレーに関する。
【背景技術】
【０００２】
従来の電磁リレーは、ベース部に、電磁石部、可動ばね、接極子、可動接点部及び固定接点部を配設し、ケースで覆う構造を採っている（例えば、特許文献１、特許文献２参照）。
【先行技術文献】
【特許文献】
【０００３】
【特許文献１】特公昭５８−０３７６４６号公報
【特許文献２】特開平１−２３１２３７号公報
【発明の概要】
【発明が解決しようとする課題】
【０００４】
ところで、従来の電磁リレーでは、図６に示すように、電磁石部に含まれるコイルボビン（図示略）とベース部１００との位置決めをベース部１００とコイルボビンの金属製端子２００とにより行っているため、コイルボビンの金属製端子２００が成形部品であるベース部１００の嵌合孔１００ａを削ってしまい、成形屑が発生するという問題がある。
【０００５】
本発明は、係る事情に鑑みてなされたものであり、ベース部とコイルボビンとの位置決めにおいて形成屑が発生しない電磁リレーを提供することを目的とする。
【課題を解決するための手段】
【０００６】
本発明の電磁リレーは、絶縁性部材で形成されたコイルボビンを有するリレー本体部と、前記リレー本体部が取り付けられ絶縁性部材で形成されたベース部と、を備え、前記コイルボビンは、嵌合部を有し、前記ベース部は、前記コイルボビンの嵌合部が嵌合される被嵌合部を有する。
【０００７】
また、上記電磁リレーにおいて、前記コイルボビンの嵌合部は凸部であり、前記ベース部の被嵌合部は、前記凸部が圧入される凹部である。
【０００８】
本発明の電磁リレーは、絶縁性部材で形成されたコイルボビンを有するリレー本体部と、前記リレー本体部が取り付けられ絶縁性部材で形成されたベース部と、を備え、前記ベース部は、嵌合部を有し、前記コイルボビンは、前記ベース部の嵌合部が嵌合される被嵌合部を有する。
【０００９】
また、上記電磁リレーにおいて、前記ベース部の嵌合部は凸部であり、前記コイルボビンの被嵌合部は、前記凸部が嵌合される凹部である。
【発明の効果】
【００１０】
本発明は、コイルボビン側に嵌合部を設け、ベース部側にコイルボビン側の嵌合部が嵌合する被嵌合部を設けて、ベース部とコイルボビンとの位置決めを行うようにしたので、ベース部とコイルボビンとの位置決めにおける形成屑の発生を防止できる。
【図面の簡単な説明】
【００１１】
【図１】本発明の一実施の形態に係る電磁リレーの内部構造を示す斜視図
【図２】図１の電磁リレーのベース部の外観を示す斜視図
【図３】図１の電磁リレーのコイルボビンの外観を示す斜視図
【図４】図１の電磁リレーのベース部とコイルボビンの外観を示す斜視図
【図５】図１の電磁リレーのベース部とコイルボビンの外観を示す斜視図
【図６】従来の電磁リレーにおけるコイルボビンとベース部との位置決めを説明するための図
【発明を実施するための形態】
【００１２】
以下、本発明を実施するための好適な実施の形態について、図面を参照して詳細に説明する。
【００１３】
図１は、本発明の一実施の形態に係る電磁リレーの内部構造を示す斜視図である。同図において、本実施の形態の電磁リレー１は、ベース部１０と、リレー本体部２０と、図示せぬケースとから構成される。リレー本体部２０は、主に、コイルボビン２１１を有する電磁石部１１と、可動ばね１２と、接極子１３と、可動接点部１４と、固定接点部１５とから構成される。
【００１４】
図２はベース部１０の外観を示す斜視図、図３はコイルボビン２１１の外観を示す斜視図である。図２に示すように、ベース部１０は、樹脂等の絶縁性部材にて略方形状に形成されており、長手方向の一端１０１の両方の角部１０２にリレー本体部２０のコイルボビン２１１に形成された嵌合孔２１２（図３参照）が嵌合する突起部１０３が形成されている。また、ベース部１０には、突起部１０３が形成された側と反対側の他端１０４より中央寄りの中央部分にコイルボビン２１１に形成された嵌合部（凸部）２１３（図３参照）が嵌合する貫通孔（被嵌合部）１０５が形成されている。
【００１５】
リレー本体部２０のコイルボビン２１１は、ベース部１０と同様に樹脂等の絶縁性部材で形成されている。ベース部１０の被嵌合部１０５とコイルボビン２１１の嵌合部２１３は、ベース部１０とコイルボビン２１１の位置決めを行うためのものである。この場合、従来のようなコイルボビンの金属製端子で位置決めするものとは異なり、ベース部１０とコイルボビン２１１は共に樹脂等の絶縁性部材で造られた形成部品であることから、ベース部１０とコイルボビン２１１との位置決めにおいて形成屑が発生することがない。また、コイルボビン２１１とベース部１０が共に成形部品であり、成形部品同士の圧入によって、位置決め後の固定保持能力が高まり、長期に亘る使用が可能となる。なお、ベース部１０の突起部１０３とコイルボビン２１１の嵌合孔２１２との嵌合も、ベース部１０とコイルボビン２１１の位置決めに寄与することは言うまでもないことである。
【００１６】
図４は、ベース部１０にコイルボビン２１１を取り付けた状態を示す斜視図である。同図に示すように、コイルボビン２１１の嵌合部２１３がベース部１０の被嵌合部１０５と嵌合しているのが分る。また、ベース部１０の一端１０１の両角部１０２に形成された突起部１０３がコイルボビン２１１の嵌合孔２１２と嵌合しているのが分る。図５は、図４の状態を下方から見た斜視図である。
【００１７】
図１に戻り、電磁石部１１は、上述したコイルボビン２１１の他、コイルと継鉄と鉄心とを備える。可動ばね１２は、弾性を有する金属材で形成されており、先端部分には可動接点部１４が設けられている。可動接点部１４には、２つの可動接点（図示略）がリレー本体部２０の幅方向に隣接して設けられている。接極子１３は、可動ばね１２に固定され、電磁石部１１により駆動されることで、可動接点部１４を固定接点部１５に対して接離させる。固定接点部１５は、ＮＯ（ノーマルオープン）端子１６の先端部分に設けられている。本実施の形態の電磁リレー１では、ＮＯ端子１６を２つ有しており、それぞれの先端部分に固定接点部１５が設けられている。各固定接点部１５には固定接点１５１が設けられており、一方の固定接点１５１が一方の可動接点（図示略）に対向し、他方の固定接点（図示略）が他方の可動接点(図示略)に対向している。
【００１８】
次に、本実施の形態の電磁リレー１の動作を説明する。
電磁石部１１に電圧を印加すると、電磁石部１１が励磁状態となり、接極子１３が吸引される。このときの吸引力が可動ばね１２の弾性力を超えることから、接極子１３が電磁石部１１に吸着されて可動ばね１２の先端部分に設けられた可動接点部１４が固定接点部１５に接触する。
【００１９】
次いで、電磁石部１１への電圧の印加を停止すると、電磁石部１１が非励磁状態となり、接極子１３が可動ばね１２の弾性力によって電磁石部１１から離反し、この離反に従って可動ばね１２の可動接点部１４が固定接点部１５から離反する。このように、電磁石部１１の励磁、非励磁に基づき、可動接点部１４が固定接点部１５に対し接離自在に駆動される。
【００２０】
このように、本実施の形態の電磁リレー１によれば、リレー本体部２０のコイルボビン２１１に嵌合部（凸部）２１３を設け、ベース部１０にコイルボビン２１１の嵌合部２１３が嵌合する被嵌合部（凹部）１０５を設けて、ベース部１０とコイルボビン２１１との位置決めを行うようにしたので、ベース部１０とコイルボビン２１１との位置決めにおける形成屑の発生を防止できる。
【００２１】
なお、上記実施の形態では、コイルボビン２１１に嵌合部（凸部）２１３を設け、ベース部１０に被嵌合部（凹部）１０５を設けたが、逆であってもよい。即ち、コイルボビン２１１に被嵌合部（凹部）を設け、ベース部１０に嵌合部（凸部）を設けてもよい。
【符号の説明】
【００２２】
１  電磁リレー
１０  ベース部
１１  電磁石部
１２  可動ばね
１３  接極子
１４  可動接点部
１５  固定接点部
１６  ＮＯ端子
２０  リレー本体部
１０５  被嵌合部
１５１  固定接点
２１１  コイルボビン
２１３  嵌合部
【図１】
2012094296.tif 000003
【図２】
2012094296.tif 000004
【図３】
2012094296.tif 000005
【図４】
2012094296.tif 000006
【図５】
2012094296.tif 000007
【図６】
2012094296.tif 000008